(57)【要約】【課題】被取付面に取り付けた際に、取付構造部が露出しない照明器具を提供する。また、取付構造部を設ける照明器具の表面を減らすことで、加工工数を低減させた照明器具を提供する。【解決手段】被取付面Ｗ・Ｓに取り付けるための取付構造部２１Ｈを有する取付部材２と、前記取付部材２に取り付けられる器具本体３と、を有している照明器具１であって、前記取付部材２が一側板２１と他側板２２によって断面視略Ｌ字状に形成されるとともに該取付部材２の一側板２１にのみ前記取付構造部２１Ｈが設けられており、前記取付部材２は、前記一側板２１が前記照明器具１の後面部１Ｂの一部、若しくは、上面部１Ｕの一部を構成するように選択的に前記器具本体３を取り付けることができる、とした。【選択図】図１９
2018190549.tif 000002
【特許請求の範囲】
【請求項１】
被取付面に取り付けるための取付構造部を有する取付部材と、
前記取付部材に取り付けられる器具本体と、を有している照明器具であって、
前記取付部材が一側板と他側板によって断面視略Ｌ字状に形成されるとともに該取付部材の一側板にのみ前記取付構造部が設けられており、
前記取付部材は、前記一側板が前記照明器具の後面部の一部、若しくは、上面部の一部を構成するように選択的に前記器具本体を取り付けることができる、
照明器具。
【請求項２】
前記取付部材の両端部にそれぞれ固定される一対の取付部材側固定具と、
前記器具本体の両端部にそれぞれ固定される一対の器具本体側固定具と、を有しており、
前記一対の前記取付部材側固定具のいずれにも一方の前記器具本体側固定具が組み合わせ自在であり、前記一対の前記取付部材側固定具のいずれにも他方の前記器具本体側固定具が組み合わせ自在となっている、請求項１に記載の照明器具。
【請求項３】
前記取付部材側固定具に第一平面部が形成され、
前記器具本体側固定具に第二平面部が形成され、
前記第一平面部が略正四角形の表面を有するように形成され、
前記第二平面部の上下両端部が折り曲げられて互いに対向する二つの案内部が形成され、
前記第一平面部を二つの前記案内部が挟み込んだ状態で組み合わせ自在となっている、請求項２に記載の照明器具。
【請求項４】
前記第二平面部が前記器具本体の取付方向に沿って長く形成され、
前記第一平面部を覆うように前記第二平面部を組み合わせることで前記器具本体を適宜位置まで案内することができる、請求項３に記載の照明器具。
【請求項５】
前記取付部材の端部に取り付けられる内蓋部材と、
前記器具本体及び前記内蓋部材の端部に係合される外蓋部材と、を有しており、
前記器具本体の端部における少なくとも下面側に第一溝が形成され、
前記内蓋部材の端部における少なくとも下面側に第二溝が形成され、
前記外蓋部材の少なくとも下板部に突条部が形成され、
前記内蓋部材を取り付けると前記第一溝と前記第二溝がつながって溝部を構成し、
前記溝部に前記突条部が嵌合して前記外蓋部材を適宜位置まで案内することができる、請求項１から請求項４のいずれか一項に記載の照明器具。
【発明の詳細な説明】
【技術分野】
【０００１】
本発明は、照明器具に関する。
【背景技術】
【０００２】
従来より、壁面のような垂直な被取付面、又は棚下のような水平な被取付面のいずれにも取り付けが可能な照明器具が知られている（特許文献１及び特許文献２参照）。このような照明器具は、後面部と上面部の２つの面にそれぞれ電線孔や取付孔が設けられている。そして、このような照明器具を壁面（垂直な被取付面）に取り付ける場合は、後面部の電線孔から電線を照明器具内に引き込むとともに、後面部の取付孔と木ネジのような固定部材を用いて照明器具を壁面に取り付ける。また、このような照明器具を棚下（水平な被取付面）に取り付ける場合は、上面部の電線孔から電線を照明器具内に引き込むとともに、上面部の取付孔と木ネジのような固定部材を用いて照明器具を棚下に取り付ける。
【先行技術文献】
【特許文献】
【０００３】
【特許文献１】特開２０１６−３５８３８号公報
【特許文献２】実開昭５６−１３８４０１号公報
【発明の概要】
【発明が解決しようとする課題】
【０００４】
ところで、このような照明器具は、複数の表面に電線孔や取付孔などの取付構造部をそれぞれ設ける必要があるため、加工工数が増大してしまう。また、このような照明器具は、垂直な被取付面に取り付けた場合は、上面部に設けられた取付構造部が使用されずに露出したままとなる。一方、このような照明器具を水平な被取付面に取り付けた場合は、後面部に設けられた取付構造部が使用されずに露出したままとなる。つまり、このような照明器具は、垂直な被取付面に取り付けられる場合と水平な被取付面に取り付けられる場合のいずれも、使用されなかった取付構造部が露出した状態となる。特に、電線孔や取付孔などの取付用孔（照明器具の取り付けに関する全ての孔を指す）が露出してしまうと、取付用孔から照明器具の内部へ埃や虫などが侵入する可能性があった。仮に、これらの取付用孔をノックアウト孔加工で形成すれば、取付用孔から埃や虫などの侵入を防ぐことができる。しかしながら、このような取付用孔を用いた場合、取付作業者が照明器具を取り付けるために取付用孔を空ける工程が必要であり、取付作業が煩雑化してしまう。
【０００５】
以上より、本願の発明は、被取付面に取り付けた際に、取付構造部が露出しない照明器具を提供することを目的としている。また、取付構造部を設ける照明器具の表面を減らすことで、加工工数を低減させた照明器具を提供することを目的としている。
【課題を解決するための手段】
【０００６】
本願に開示する照明器具は、
被取付面に取り付けるための取付構造部を有する取付部材と、
前記取付部材に取り付けられる器具本体と、を有している照明器具であって、
前記取付部材が一側板と他側板によって断面視略Ｌ字状に形成されるとともに該取付部材の一側板にのみ前記取付構造部が設けられており、
前記取付部材は、前記一側板が前記照明器具の後面部の一部、若しくは、上面部の一部を構成するように選択的に前記器具本体を取り付けることができる、ものである。
【０００７】
本願に開示する照明器具において、
前記取付部材の両端部にそれぞれ固定される一対の取付部材側固定具と、
前記器具本体の両端部にそれぞれ固定される一対の器具本体側固定具と、を有しており、
前記一対の前記取付部材側固定具のいずれにも一方の前記器具本体側固定具が組み合わせ自在であり、前記一対の前記取付部材側固定具のいずれにも他方の前記器具本体側固定具が組み合わせ自在となっている、ものである。
【０００８】
本願に開示する照明器具において、
前記取付部材側固定具に第一平面部が形成され、
前記器具本体側固定具に第二平面部が形成され、
前記第一平面部が略正四角形の表面を有するように形成され、
前記第二平面部の上下両端部が折り曲げられて互いに対向する二つの案内部が形成され、
前記第一平面部を二つの前記案内部が挟み込んだ状態で組み合わせ自在となっている、ものである。
【０００９】
本願に開示する照明器具において、
前記第二平面部が前記器具本体の取付方向に沿って長く形成され、
前記第一平面部を覆うように前記第二平面部を組み合わせることで前記器具本体を適宜位置まで案内することができる、ものである。
【００１０】
本願に開示する照明器具において、
前記取付部材の端部に取り付けられる内蓋部材と、
前記器具本体及び前記内蓋部材の端部に係合される外蓋部材と、を有しており、
前記器具本体の端部における少なくとも下面側に第一溝が形成され、
前記内蓋部材の端部における少なくとも下面側に第二溝が形成され、
前記外蓋部材の少なくとも下板部に突条部が形成され、
前記内蓋部材を取り付けると前記第一溝と前記第二溝がつながって溝部を構成し、
前記溝部に前記突条部が嵌合して前記外蓋部材を適宜位置まで案内することができる、ものである。
【発明の効果】
【００１１】
本願の発明によれば、垂直な被取付面に取り付けられる場合と水平な被取付面に取り付けられる場合のいずれも、取付用孔が露出しない照明器具を提供することができる。また、取付用孔を減らすことで加工工数を低減させた照明器具を提供することができる。
【図面の簡単な説明】
【００１２】
【図１】本発明に係る一実施形態の照明器具を示す図。
【図２】図１の照明器具を展開した図。
【図３】取付部材の構造を示す図。
【図４】器具本体の構造を示す図。
【図５】取付部材側固定具の構造を示す図。
【図６】器具本体側固定具の構造を示す図。
【図７】内蓋部材の構造を示す図。
【図８】外蓋部材の構造を示す図。
【図９】垂直な被取付面（壁面）に取付部材を取り付けている状況を示す図。
【図１０】取付部材に器具本体を取り付けている状況を示す図。
【図１１】取付部材の端部に内蓋部材を圧入している状況を示す図。
【図１２】器具本体及び内蓋部材の端部に外蓋部材を係合している状況を示す図。
【図１３】垂直な被取付面（壁面）に照明器具が取り付けられた状態を示す図。
【図１４】水平な被取付面（棚下）に取付部材を取り付けている状況を示す図。
【図１５】取付部材に器具本体を取り付けている状況を示す図。
【図１６】取付部材の端部に内蓋部材を圧入している状況を示す図。
【図１７】器具本体及び内蓋部材の端部に外蓋部材を係合している状況を示す図。
【図１８】水平な被取付面（棚下）に照明器具が取り付けられた状態を示す図。
【図１９】被取付面に取り付けられた照明器具の断面を示す図であり、（Ａ）が垂直な被取付面に取り付けた場合、（Ｂ）が水平な被取付面に取り付けた場合を示す。
【図２０】取付部材に器具本体を取り付けている状況の詳細を示す図。
【図２１】取付部材の端部に内蓋部材を圧入している状況の詳細を示す図。
【図２２】器具本体及び内蓋部材の端部に外蓋部材を係合している状況の詳細を示す図。
【発明を実施するための形態】
【００１３】
本願の発明に関する技術的思想は、以下に説明する照明器具１に具現化されている。以下、本発明の実施形態の一つである照明器具１について、図面を参照しながら説明する。
【００１４】
まず、図１から図８を用いて、照明器具１の各構成部品について説明する。
【００１５】
以下において、図中における矢印Ｘを照明器具１の上下方向、矢印Ｙを照明器具１の左右方向、矢印Ｚを照明器具１の前後方向とする。ここで、照明器具１の上下方向とは、重力が作用する方向に沿う方向である。照明器具１の左右方向とは、重力が作用する方向に対して垂直となる照明器具１の長手方向である。照明器具１の前後方向とは、重力が作用する方向に対して垂直となる照明器具１の短手方向である。なお、照明器具１の短手方向は、取付部材２に対する器具本体３の取付方向に相当する（図２参照）。また、照明器具１の上下方向と左右方向、すなわち、矢印Ｘ−Ｙ平面に平行して広がる被取付面（壁面など）を垂直な被取付面Ｗとする。また、照明器具１の左右方向と前後方向、すなわち、矢印Ｙ−Ｚ平面に平行して広がる被取付面（棚下や天井など）を水平な被取付面Ｓとして、以下説明する。以下において、「棚下」とは収納棚の下面の水平な表面を指し、この表面を「棚下」と呼ぶ。
【００１６】
照明器具１は、取付部材２と器具本体３を有している。
【００１７】
取付部材２は、壁面などの垂直な被取付面Ｗ、又は、棚下や天井などの水平な被取付面Ｓに取り付けられる部材である。取付部材２は、例えばアルミニウム合金（例えばＡ６０６３など）で形成されている。本実施形態の取付部材２は、アルミビレットを加熱したものをダイスに通し、長尺状に形成した。取付部材２は、一側板２１と他側板２２が直角に交わるように断面視略Ｌ字状の形状を有する。取付部材２は、一側板２１に取付構造部２１Ｈが設けられている。本実施形態では、取付構造部２１Ｈとして電線孔２１ａと２つの取付孔２１ｂ・２１ｃが設けられている。電線孔２１ａは、一側板２１の長手方向の中央部分に設けられている。また、取付孔２１ｂは、一側板２１の一方の端部からやや中央よりの位置に設けられている。取付孔２１ｃは、一側版２１の他方の端部からやや中央よりの位置に設けられている。このように、取付部材２は、一側板２１と他側板２２によって断面視略Ｌ字状に形成されるとともに、該取付部材２の一側板２１にのみ取付構造部２１Ｈ（本実施形態では、照明器具１の取り付けに関する電源孔２１ａ・取付孔２１ｂ・取付孔２１ｃを指す）が設けられているのである。本実施形態では、取付構造部２１Ｈとして電源孔２１ａ、取付孔２１ｂ・２１ｃを作成したが、これに限らず、被取付部に取り付けるために必要なその他の形状でもよい。例えば、他の部材と結合するための鉤状部や溝部など、必要に応じて適宜設けることができる。
【００１８】
また、本取付部材２においては、一側板２１に段差部２１ｄが形成されている（図１９参照）。段差部２１ｄは、一側板２１の先端縁付近に内面側に突出し、長手方向に沿うように形成されている。これにより、一側板２１の剛性を確保するとともに、後述する筐体３０の下板部３３若しくは上板部３１に組み合わせることができる。また、本取付部材２においては、他側板２２にも段差部２２ｄが形成されている（図１９参照）。段差部２２ｄは、他側板２２の先端縁付近に内面側に突出し、長手方向に沿うように形成されている。これにより、他側板２２の剛性を確保するとともに、後述する筐体３０の上板部３１若しくは下板部３３に組み合わせることができる。段差部２１ｄと段差部２２ｄは、一側板２１と他側板２２の交わる角部から同距離分だけ離れた位置に形成されている。なお、段差部２１ｄと段差部２２ｄは、断面視略Ｃ字状の凹部を有し、後述する内蓋部材６の円柱部６３・６４が嵌合可能となっている（図１９及び図２１参照）。
【００１９】
器具本体３は、取付部材２に取り付けられる。器具本体３は、主に筐体３０で構成されている。筐体３０は、例えばアルミニウム合金（例えばＡ６０６３など）で形成されている。本実施形態の筐体３０は、アルミビレットを加熱したものをダイスに通して長尺状に形成した。筐体３０は、上板部３１と前板部３２が直角に交わるように断面視略Ｌ字状に形成した。上板部３１の中途部分から前板部３２と平行するように中板部３４を形成し、中板部３４の他端から略直角に交わるように前板部３２とは逆方向に下板部３３を形成した。筐体３０は、下板部３３と中板部３４が直角に交わる形状を有する。筐体３０は、上板部３１と前板部３２によって断面視略Ｌ字状と、下板部３３と中板部３４によって断面視略Ｌ字状とを組み合わされた形状に形成した。なお、筐体３０の中板部３４には、短手方向へ突出した台座部３４ｐが形成されている（図１９参照）。段差部３４ｄは、台座部３４ｐの基端縁に重なった位置で下面側に突出した部分であり、長手方向に沿うように形成されている。なお、段差部３４ｄは、断面視略Ｃ字状となっており、後述する蓋部材３７を固定するためのネジ３７Ｓが螺合可能となっている（図１９参照）。
【００２０】
また、本筐体３０においては、上板部３１に段差部３１ｄが形成されている（図１９参照）。段差部３１ｄは、上板部３１の先端縁において内面側に向かって段差形状を有する部分であり、長手方向に沿うように形成されている。これにより、上板部３１の剛性を確保するとともに、前述した取付部材２の一側板２１の段差部２１ｄ若しくは他側板２２の段差部２２ｄと組み合わせることができる。また、本取付部材２においては、下板部３３にも段差部３３ｄが形成されている（図１９参照）。段差部３３ｄは、下板部３３の先端縁において内面側に向かって段差形状を有する部分であり、長手方向に沿うように形成されている。これにより、下板部３３の剛性を確保するとともに、前述した取付部材２の他側板２２の段差部２２ｄ若しくは一側板２１の段差部２１ｄと組み合わせることができる。取付部材２の段差部２１ｄ・２２ｄと、器具本体３の段差部３１ｄ・３３ｄとを組み合わせることによって、器具本体３は、取付部材２に対して所望の位置に配置することができる。
【００２１】
本器具本体３は、透光板３５を有している。透光板３５は、筐体３０の前板部３２と中板部３４の間における下端に配置されている。透光板３５は、例えば合成樹脂（例えばポリカーボネートなど）で形成されている。透光板３５は、平らな長方形状に形成されており、前板部３２の内面側に設けられた凹部３２ｅと、凹部３２ｅと向かい合うように中板部３４に設けられた凹部３４ｅに挟まれた状態で支持されている（図１９参照）。透光板３５は、熱によって膨張しても問題が生じないよう、前板部３２や中板部３４に対して多少の隙間を有するように形成されている。また、後述する蓋部材３７に対しても多少の隙間を有するように形成されている。
【００２２】
本器具本体３は、光源部３６を有している。光源部３６は、筐体３０の前板部３２と中板部３４の間における上板部３１の内面側表面に配置されている。光源部３６は、基板３６１に複数のＳＭＤ（Ｓｕｒｆａｃｅ  Ｍｏｕｎｔ  Ｄｅｖｉｃｅ）型のＬＥＤチップ３６２を実装した。光源部３６は、平らな長方形状に形成されている。上板部３１の内面側に設けられた凹部３１ｆと中板部３４の内面側に設けられた凹部３４ｆに基板３６１が挟まれた状態で支持されている（図１９参照）。光源部３６は、基板３６１に二つの電極が設けられている。一方の電極は、いわゆるアノードであり、接続端子３６３から電源部３６４やスイッチ３６５を介して接続されている。他方の電極は、いわゆるカソードであり、接続端子３６３から電源部３６４やスイッチ３６５を介して接続されている。なお、光源部３６は、ＳＭＤ型ＬＥＤチップに限らず、ＣＯＢ（Ｃｈｉｐ  Ｏｎ  Ｂｏａｒｄ）型発光モジュールなどでもよい。また、蛍光灯や電球、有機ＥＬなどの光源でもよい。
【００２３】
本器具本体３は、蓋部材３７を有している。蓋部材３７は、筐体３０の両端部にそれぞれ固定されている。蓋部材３７は、例えば合成樹脂（例えばＡＢＳなど）で形成されている。蓋部材３７は、圧入部３７１と止板部３７２が形成されており、圧入部３７１が上板部３１や前板部３２、中板部３４などに接するように圧入され、止板部３７２がこれらの端部に当接した状態となっている。また、蓋部材３７は、止板部３７２が中板部３４に設けられた台座部３４ｐの端部を覆うように延びており、段差部３４ｄ（断面視略Ｃ状部分）に重なる適宜な位置に取付孔３７ｈが設けられている。こうして、蓋部材３７は、取付孔３７ｈに通されるネジ３７Ｓによって筐体３の端部に固定される。なお、止板部３７２は、その上下両端部が長手方向の外側に延びており、それぞれの上面側と下面側に長手方向に対して垂直となる第一溝３ｇ・３ｇが形成されている。止板部３７２の下端側の延長部分は上端側の延長部分よりも短く形成されている。それに伴い、下面側の第一溝３ｇは上面側の第一溝３ｇよりも短く形成されている。また、止板部３７２は、その一部が圧入部３７１の内側へ窪んでおり、その底面から爪部３７３が延びている。爪部３７３は、その先端部分が長手方向の外側へ突出している。
【００２４】
更に、照明器具１は、取付部材側固定具４と器具本体側固定具５を有している。図５及び図６には、左側用と右側用の両方を示している。
【００２５】
取付部材側固定具４は、取付部材２の両端部にそれぞれ固定される。取付部材側固定具４は、例えば亜鉛めっき鋼板（例えばＳＧＣＣなど）などの金属材料で形成されている。取付部材側固定具４は、例えば予め切り出された板材を折り曲げることによって形成する。取付部材側固定具４は、第一平面部４０を有する。より詳細に説明すると、取付部材側固定具４は、長手方向に対して垂直となる第一平面部４０を有し、この第一平面部４０につながった各部分が折り曲げられることで長手方向へ延びる側面部４１・４２・４３・４４が形成されている。また、側面部４１には、所定箇所で折り曲げられることにより、支持板部４１０が形成されている。更に、側面部４４には、所定箇所で折り曲げられることにより、固定板部４４０が形成されている。なお、固定板部４４０は、中央にバーリング加工が施されて取付孔４４ｈが設けられている。そのため、固定板部４４０は、取付部材２の一側板２１にネジ４４Ｓによって固定される（図３参照）。このとき、支持板部４１０は、取付部材２の他側板２２に沿うように配置される。
【００２６】
本取付部材側固定具４は、第一平面部４０が長手方向から見て略正四角形に形成されている。より詳細に説明すると、取付部材側固定具４は、側面部４１と側面部４３が互いに平行となっており、側面部４２と側面部４４が互いに平行となっており、結果として第一平面部４０が略正四角形に形成されている。第一平面部４０の各辺は、全ての長さが「ｄ」となっている。なお、第一平面部４０は、中央にバーリング加工が施されて取付孔４０ｈが設けられている。これにより、第一平面部４０は、後述する第二平面部５０の貫通孔５０ｈに通されるネジ４０Ｓにより、この第二平面部５０とともに締結される（図２及び図１０及び図１５参照）。
【００２７】
器具本体側固定具５は、器具本体３の両端部にそれぞれ固定される。器具本体側固定具５は、例えば亜鉛めっき鋼板（例えばＳＧＣＣなど）などの金属材料で形成されている。器具本体側固定具５は、予め切り出された板材を折り曲げることによって第二平面部５０を有する形状となっている。より詳細に説明すると、器具本体側固定具５は、長手方向に対して垂直となる第二平面部５０を有し、この第二平面部５０につながった各部分が折り曲げられることで長手方向へ延びる案内部５５・５６が形成されている。また、第二平面部５０には、所定箇所で折り曲げられることにより、固定板部５２０が形成されている。更に、固定板部５２０は、所定箇所で折り曲げられることにより、支持板部５２１・５２２が形成されている。なお、固定板部５２０は、中央よりの二箇所に穴開け加工が施されて貫通孔５２ｈ・５２ｈが設けられている。固定板部５２０は、器具本体３を構成している筐体３０の台座部３４ｐにネジ５２Ｓ・５２Ｓによって固定される。このとき、支持板部５２１・５２２は、台座部３４ｐにおける上面側と下面側の外側にそれぞれ沿うように配置される。台座部３４ｐを支持板部５２１・５２２の間に挟むように配置し、ネジ５２Ｓ・５２Ｓを用いて固定板部５２０を台座部３４ｐに固定することで、器具本体側固定具５を器具本体３の所望の位置に配置する。
【００２８】
本器具本体側固定具５は、第二平面部５０が器具本体３の取付方向に沿って延びるように形成されている。また、本器具本体側固定具５は、第二平面部５０の上下両端部が折り曲げられて互いに対向する二つの案内部５５・５６が形成されている。より詳細に説明すると、器具本体側固定具５は、案内部５５と案内部５６が平行となるように形成され、結果として互いに対向する二つの案内部５５・５６が形成されている。本実施形態では、案内部５５と案内部５６が平行となるように形成したが、これに限らず、案内部５５と案内部５６が対称となるように形成されればよい。二つの案内部５５・５６の間隔Ｄは、第一平面部４０の各辺の長さｄよりも僅かに大きくなるように形成されている。なお、第二平面部５０は、中央に穴開け加工が施されて貫通孔５０ｈが設けられている。これにより、第二平面部５０は、この第二平面部５０の貫通孔５０ｈに通されるネジ４０Ｓにより、前述した第一平面部４０とともに締結される（図２及び図１０及び図１５参照）。
【００２９】
照明器具１は、内蓋部材６と外蓋部材７を有している。図７及び図８には、左側用と右側用の両方を示している。
【００３０】
内蓋部材６は、取付部材２及び器具本体３からなる両端部に取り付けられる。内蓋部材６は、例えば合成樹脂（例えばＡＢＳなど）で形成されている。内蓋部材６は、圧入部６１と止板部６２が形成されている。圧入部６１は、取付部材２と器具本体３から形成される端部の空間に、一側板２１や他側板２２、下板部３３などに沿うように挿入され、止板部６２がこれらの端部に当接して取り付けられる。また、内蓋部材６は、止板部６２が短手方向へ延びる延長部６２１を有し、この延長部６２１によって蓋部材３７の一部を覆っている。なお、止板部６２は、その上下両端部を含む側板が長手方向の内側へ延びており、それぞれの上面側と下面側に長手方向に対して垂直となる第二溝６ｇ・６ｇが形成されている。内蓋部材６を取り付けると、蓋部材３７の第１溝３ｇと内蓋部材６の第二溝６ｇとが連続するように配置されて溝部７４Ｇを形成する。また、止板部６２は、その上下両端部を含む側板の一部が長手方向の内側へ延びており、二つの円柱部６３・６４が形成されている。
【００３１】
外蓋部材７は、器具本体３及び内蓋部材６の両端部にそれぞれ係合される。外蓋部材７は、例えば合成樹脂（例えばＡＢＳなど）で形成されている。外蓋部材７は、横板部７０に加えて上板部７１と前板部７２と下板部７３が形成されており、これらによって蓋部材３７や内蓋部材６を覆った状態となっている。なお、横板部７０の内面側には、短手方向に沿うように細幅の直線状に軌道部７０ｒが形成されている。また、上板部７１の内面側には、長手方向に対して垂直方向に延びる突条部７４Ｔが形成されており、下板部７３の内面側にも、長手方向に対して垂直方向に延びる突条部７４Ｔが形成されている。前板部７２は、筐体３０の前板部３２が長手方向の外側へ延長されるような形状に形成した。下板部７３は、筐体３０の下板部３３や透光板３５が長手方向の外側へ延長されるように形成した。
【００３２】
＜垂直な被取付面Ｗ（壁面）に照明器具を取り付ける手順＞
次に、図９から図１３を用いて、垂直な被取付面Ｗ（以下、壁面Ｗとする）に照明器具１を取り付ける手順の一例について説明する。また、図２０から図２２に一部構造の詳細を示すことによって説明を補完する。
【００３３】
以下においては、図３に示す取付部材２及び図４に示す器具本体３に基づいて符号を定義する。即ち、図３における取付部材２の左側端部に固定されている取付部材側固定具４を「取付部材側固定具４Ｌ」と定義し、取付部材２の右側端部に固定されている取付部材側固定具４を「取付部材側固定具４Ｒ」と定義する。また、図４における器具本体３の左側端部に固定されている器具本体側固定具５を「器具本体側固定具５Ｌ」と定義し、取付部材２の右側端部に固定されている器具本体側固定具５を「器具本体側固定具５Ｒ」と定義する。
【００３４】
まず、図９に示すように、壁面Ｗに取付部材２を取り付ける。作業者は、壁面Ｗから出ている電線Ｃを電線孔２１ａに通す。そして、作業者は、取付部材２を支えた状態で取付孔２１ｂと取付孔２１ｃに木ネジ２３Ｓを通し、それぞれを壁面Ｗに捻じ込む。このとき、取付部材２は、電線孔２１ａが長円形状に形成されているので、電線Ｃを照明器具１内に引き込むときに長手方向の自由度を有している。また、取付部材２は、取付孔２１ｂが長円形状と大径の円形状からなるダルマ孔であり、取付孔２１ｃが小径の円形状である。これにより、取付部材２の取付位置を調整しながら、壁面Ｗに取り付けることができる。その後、作業者は、電線Ｃを器具本体３の接続端子３６３に接続する。
【００３５】
次に、図１０に示すように、取付部材２に器具本体３を取り付ける。つまり、取付部材２の取付部材側固定具４Ｌに対して器具本体３の器具本体側固定具５Ｌを嵌合させるとともに、取付部材２の取付部材側固定具４Ｒに対して器具本体３の器具本体側固定具５Ｒを嵌合させる。作業者は、取付部材側固定具４Ｌの第一平面部４０に器具本体側固定具５Ｌの第二平面部５０を沿わせるようにして嵌合させる（図２０参照）。このとき、取付部材側固定具４Ｌの第一平面部４０を二つの案内部５５・５６が挟み込むこととなる。同様に、作業者は、取付部材側固定具４Ｒの第一平面部４０に器具本体側固定具５Ｒの第二平面部５０を沿わせるようにして嵌合させる。このとき、取付部材側固定具４Ｒの第一平面部４０を二つの案内部５５・５６が挟み込むこととなる。これにより、器具本体３は、取付部材２に対する長手方向及び上下方向の適宜な位置まで案内される。また、器具本体側固定具５Ｌ及び器具本体側固定具５Ｒのいずれとも、第二平面部５０と案内部５５・５６が取付方向に沿って長く形成されている。取付部材２に器具本体３を取付方向に差し込む動作で、器具本体３は適宜な位置まで案内される。その後、作業者は、ネジ４０Ｓを用いて第一平面部４０と第二平面部５０を締結する（図２０参照）。
【００３６】
次に、図１１に示すように、取付部材２の両端部に内蓋部材６を圧入する。作業者は、取付部材２の一側板２１や他側板２２などの端部に止板部６２が当接するまで圧入する（図２１参照）。このとき、器具本体３（蓋部材３７）の第一溝３ｇ・３ｇと内蓋部材６の第二溝６ｇ・６ｇが直線状につながって溝部７４Ｇ・７４Ｇを構成する。また、内蓋部材６は、一側板２１の段差部２１ｄと他側板２２の段差部２２ｄにそれぞれ円柱部６３・６４が嵌合するので抜け落ちにくい。なお、本照明器具１は、取付部材２の両端部に内蓋部材６を圧入するものである。取付部材２の左側端部に圧入される内蓋部材６と取付部材２の右側端部に圧入される内蓋部材６は、左側用若しくは右側用の表示を除いて左右対称に形成されている。しかし、これに限らず、複数の照明器具１を連結可能とした仕様などにおいては、左右非対称に形成しても良い。
【００３７】
次に、図１２に示すように、器具本体３及び内蓋部材６の両端部に外蓋部材７を係合する。作業者は、溝部７４Ｇ・７４Ｇに外蓋部材７の突条部７４Ｔ・７４Ｔを噛み合わせて押し込むことで係合する（図２２参照）。このとき、上面側の溝部７４Ｇは、上面側の突条部７４Ｔと噛み合わせやすいように、入口部分で広く且つ深くなるように形成されている（図２２における矢印Ｍ参照）。下面側の溝部７４Ｇは、入口部分から中途部分まで片壁で上面側の溝部７４Ｇよりも短く形成されている（図２２における矢印Ｎ参照）。外蓋部材７の上面側の突条部７４Ｔの先端と上面側の溝部７４Ｇが噛み合うように、外蓋部材７を器具本体３の取付方向に押し込むことで、下面側の突条部７４Ｔと下面側の溝部７４Ｇも噛み合う。これにより、突条部７４Ｔ・７４Ｔが引っ掛かることなく円滑に噛み合い、外蓋部材７は器具本体３及び内蓋部材６と係合しやすい。また、外蓋部材７は、適宜位置まで押し込まれると爪部３７３の先端部分が軌道部７０ｒを乗り越える。これにより、器具本体３及び内蓋部材６から外れにくくなる。なお、本照明器具１は、器具本体３及び内蓋部材６の両端部に外蓋部材７を係合するものである。器具本体３及び内蓋部材６の左側端部に圧入される外蓋部材７と器具本体３及び内蓋部材６の右側端部に圧入される外蓋部材７は、左側用若しくは右側用の表示を除いて左右対称に形成されている。しかし、複数の照明器具１を連結可能とした仕様などにおいては、左右非対称に形成しても良い。
本照明器具１においては、器具本体３及び内蓋部材６の端部に外蓋部材７を係合して一体化させることで、器具本体３の自重で取付部材２に対する適宜な位置よりも下に配置されることを抑止する。これにより、器具本体３を取付部材２に対して適宜な位置に容易に配置することができる。なお、本実施形態では、照明器具１の上面側と下面側の両方に溝部７４Ｇと突条部７４Ｔを設けたが、これに限られない。器具本体３を取付部材２に対して適宜な位置に配置することが可能であれば、一方側のみに溝部７４Ｇと突条部７４Ｔを形成しても良い。
【００３８】
以上、図１３に示すように、本照明器具１は、壁面Ｗに取り付けることが可能である。このように、壁面Ｗに取り付けられる場合においては、取付部材２の一側板２１が照明器具１の後面部１Ｂを構成するとともに取付部材２の他側板２２が照明器具１の上面部１Ｕを構成する（図１９の（Ａ）参照）。
【００３９】
＜水平な被取付面Ｓ（棚下）に照明器具を取り付ける手順＞
次に、図１４から図１８を用いて、水平な取付面Ｓ（以下、棚下Ｓとする）に照明器具１を取り付ける手順の一例について説明する。また、図２０から図２２に一部構造の詳細を示すことによって説明を補完する。
【００４０】
以下においても、図３に示す取付部材２及び図４に示す器具本体３に基づいて符号を定義する。即ち、図３における取付部材２の左側端部に固定されている取付部材側固定具４を「取付部材側固定具４Ｌ」と定義し、取付部材２の右側端部に固定されている取付部材側固定具４を「取付部材側固定具４Ｒ」と定義する。また、図４における器具本体３の左側端部に固定されている器具本体側固定具５を「器具本体側固定具５Ｌ」と定義し、取付部材２の右側端部に固定されている器具本体側固定具５を「器具本体側固定具５Ｒ」と定義する。
【００４１】
まず、図１４に示すように、棚下Ｓに取付部材２を取り付ける。作業者は、棚下Ｓから出ている電線Ｃを電線孔２１ａに通す。そして、作業者は、取付部材２を支えた状態で取付孔２１ｂと取付孔２１ｃに木ネジ２３Ｓを通し、それぞれを棚下Ｓに捻じ込む。このとき、取付部材２は、電線孔２１ａが長円形状に形成されているので、電線Ｃを照明器具１内に引き込むときに長手方向の自由度を有している。また、取付部材２は、取付孔２１ｂが長円形状と大径の円形状からなるダルマ孔であり、取付孔２１ｃが小径の円形状である。これにより、取付部材２の取付位置を調整しながら、棚下Ｓに取り付けることができる。その後、作業者は、電線Ｃを器具本体３の接続端子３６３に接続する。
【００４２】
次に、図１５に示すように、取付部材２に器具本体３を取り付ける。つまり、取付部材２の取付部材側固定具４Ｒに対して器具本体３の器具本体側固定具５Ｌを嵌合させるとともに、取付部材２の取付部材側固定具４Ｌに対して器具本体３の器具本体側固定具５Ｒを嵌合させる。作業者は、取付部材側固定具４Ｒの第一平面部４０に器具本体側固定具５Ｌの第二平面部５０を沿わせるようにして嵌合させる（図２０参照）。このとき、取付部材側固定具４Ｒの第一平面部４０を二つの案内部５５・５６が挟み込むこととなる。同様に、作業者は、取付部材側固定具４Ｌの第一平面部４０に器具本体側固定具５Ｒの第二平面部５０を沿わせるようにして嵌合させる。このとき、取付部材側固定具４Ｌの第一平面部４０を二つの案内部５５・５６が挟み込むこととなる。これにより、器具本体３は、取付部材２に対する長手方向及び上下方向の適宜な位置まで案内される。また、器具本体側固定具５Ｌ及び器具本体側固定具５Ｒのいずれとも、第二平面部５０と案内部５５・５６が取付方向に沿って長く形成されている。取付部材２に器具本体３を取付方向に差し込む動作で、器具本体３は適宜な位置まで案内される。その後、作業者は、ネジ４０Ｓを用いて第一平面部４０と第二平面部５０を締結する（図２０参照）。
【００４３】
次に、図１６に示すように、取付部材２の両端部に内蓋部材６を圧入する。作業者は、取付部材２の一側板２１や他側板２２などの端部に止板部６２が当接するまで圧入する（図２１参照）。このとき、器具本体３（蓋部材３７）の第一溝３ｇ・３ｇと内蓋部材６の第二溝６ｇ・６ｇが直線状につながって溝部７４Ｇ・７４Ｇを構成する。また、内蓋部材６は、一側板２１の段差部２１ｄと他側板２２の段差部２２ｄにそれぞれ円柱部６３・６４が嵌合するので抜け落ちにくい。なお、本照明器具１は、取付部材２の両端部に内蓋部材６を圧入するものである。取付部材２の左側端部に圧入される内蓋部材６と取付部材２の右側端部に圧入される内蓋部材６は、左側用若しくは右側用の表示を除いて左右対称に形成されている。しかし、複数の照明器具１を連結可能とした仕様などにおいては、左右非対称に形成しても良い。
【００４４】
次に、図１７に示すように、器具本体３及び内蓋部材６の両端部に外蓋部材７を係合する。作業者は、溝部７４Ｇ・７４Ｇに外蓋部材７の突条部７４Ｔ・７４Ｔを噛み合わせて押し込むことで係合する（図２２参照）。このとき、上面側の溝部７４Ｇは、上面側の突条部７４Ｔと噛み合わせやすいように、入口部分で広く且つ深くなるように形成されている（図２２における矢印Ｍ参照）。下面側の溝部７４Ｇは、入口部分から中途部分まで片壁で上面側の溝部７４Ｇよりも短く形成されている（図２２における矢印Ｎ参照）。外蓋部材７の上面側の突条部７４Ｔの先端と上面側の溝部７４Ｇが噛み合うように、外蓋部材７を器具本体３の取付方向に押し込むことで、下面側の突条部７４Ｔと下面側の溝部７４Ｇも噛み合う。これにより、突条部７４Ｔ・７４Ｔが引っ掛かることなく円滑に噛み合い、外蓋部材７は器具本体３及び内蓋部材６と係合しやすい。また、外蓋部材７は、適宜位置まで押し込まれると爪部３７３の先端部分が軌道部７０ｒを乗り越える。これにより、器具本体３及び内蓋部材６から外れにくくなる。なお、本照明器具１は、器具本体３及び内蓋部材６の両端部に外蓋部材７を係合するものである。器具本体３及び内蓋部材６の左側端部に圧入される外蓋部材７と器具本体３及び内蓋部材６の右側端部に圧入される外蓋部材７は、左側用若しくは右側用の表示を除いて左右対称に形成されている。しかし、複数の照明器具１を連結可能とした仕様などにおいては、左右非対称に形成しても良い。
本照明器具１においては、器具本体３及び内蓋部材６の端部に外蓋部材７を係合して一体化させることで、器具本体３の自重で取付部材２に対する適宜な位置よりも下に配置されることを抑止する。これにより、取付部材２に対して器具本体３を適宜な位置に容易に配置することができる。
【００４５】
以上、図１８に示すように、本照明器具１は、棚下Ｓに取り付けることが可能である。このように、棚下Ｓに取り付けられる場合においては、取付部材２の一側板２１が照明器具１の上面部１Ｕを構成するとともに取付部材２の他側板２２が照明器具１の後面部１Ｂを構成する（図１９の（Ｂ）参照）。なお、本照明器具１において、取付部材２の一側板２１は、段差部２１１によって他側板２２よりも僅かに厚く形成されている。これにより、被取付面である棚下Ｓと器具本体３の上板部３１との間に空間を設けることができる。被取付面と器具本体３との間に空間を設けることによって、取付部材２に対し器具本体３を取り付ける際や、外蓋部材７を係合する際に、器具本体３や外蓋部材７が被取付面に接触しにくくなる。
【００４６】
以下に、本願の発明とその効果についてまとめる。
【００４７】
本発明の一実施形態に係る照明器具１は、取付部材２が一側板２１と他側板２２によって断面視略Ｌ字状に形成されるとともに該取付部材２の一側板２１にのみ取付構造部２１Ｈ（電線孔２１ａ・取付孔２１ｂ・取付孔２１ｃなど）が設けられている。そして、取付部材２は、一側板２１が照明器具１の後面部１Ｂの一部、若しくは、照明器具１の上面部１Ｕの一部を構成するように選択的に器具本体３を取り付けることができる。照明器具１によれば、垂直な被取付面Ｗに取り付けられる場合と水平な被取付面Ｓに取り付けられる場合のいずれにおいても、取付構造部２１Ｈが露出しない。取付部材２の複数の面に取付構造部２１Ｈを形成しないため、加工工数を低減できる。また、照明器具１を取り付けた際に取付構造部２１Ｈが露出しないため、意匠性が高い照明器具を実現できる。また、電線孔２１ａや取付孔２１ｂ・取付孔２１ｃなど取付用孔が露出しないため、照明器具１の内部へ埃や虫が侵入しにくい。また、取付用孔をノックアウト孔加工で形成する必要がない。そのため、取付作業者が取付用孔を空ける作業がなく、取り付けやすい照明器具を実現できる。
【００４８】
また、本発明の一実施形態に係る照明器具１は、取付部材２の両端部にそれぞれ固定される一対の取付部材側固定具４と、器具本体３の両端部にそれぞれ固定される一対の器具本体側固定具５と、を有している。そして、一対の取付部材側固定具４のいずれにも一方の器具本体側固定具５が組み合わせ自在であり、一対の取付部材側固定具４のいずれにも他方の器具本体側固定具５が組み合わせ自在となっている。照明器具１によれば、垂直な被取付面Ｗに取り付けられた取付部材２と水平な被取付面Ｓに取り付けられた取付部材２のいずれに対しても、一定方向（照明器具１では前後方向）から器具本体３を取り付けることができる。
【００４９】
更に、本発明の一実施形態に係る照明器具１は、取付部材側固定具４に第一平面部４０が形成され、器具本体側固定具５に第二平面部５０が形成されている。第一平面部４０は、略正四角形の表面を有するように形成されている。第二平面部５０の上下両端部は、折り曲げられて互いに対向する二つの案内部５５・５６が形成されている。そして、第一平面部４０を二つの案内部５５・５６が挟み込んだ状態で組み合わせ自在となっている。照明器具１によれば、取付部材２に対する器具本体３の長手方向及び上下方向の位置が定まるので取付作業が容易となる。
【００５０】
本発明の一実施形態に係る照明器具１は、第二平面部５０が器具本体３の取付方向に沿って長く形成されている。そして、第一平面部４０に沿うように第二平面部５０一定方向（照明器具１では前後方向）に器具本体３を移動させれば、器具本体３の取付部材２に対する適宜な位置まで案内することができる。照明器具１によれば、取付部材２に対する器具本体３の適宜な位置（長手方向の位置及び上下方向の位置）まで案内されるので取付作業が更に容易となる。
【００５１】
本発明の一実施形態に係る照明器具１は、取付部材２の端部に圧入される内蓋部材６と、器具本体２及び内蓋部材６の端部に係合される外蓋部材７と、を有している。また、器具本体３の端部における少なくとも下面側に第一溝３ｇが形成され、内蓋部材６の端部における少なくとも下面側に第二溝６ｇが形成される。外蓋部材７の少なくとも下板部７３における内面側に突条部７４Ｔが形成されている。そして、内蓋部材６を圧入すると第一溝３ｇと第二溝６ｇがつながって溝部７４Ｇを構成し、溝部７４Ｇに突条部７４Ｔが嵌合して外蓋部材７を適宜位置まで案内することができる。照明器具１によれば、器具本体３と内蓋部材６の端部に外蓋部材７を係合させて一体化させることで、器具本体３を取付部材２に対して適宜な位置に容易に配置することができる。
【００５２】
本願の発明は、一実施形態に係る照明器具１に限らず、他の実施形態として具現化することも可能である。従って、本願の発明に関する技術的思想は、他の実施形態に係る照明器具にも及ぶものである。
【符号の説明】
【００５３】
１          照明器具
１Ｂ        後面部
１Ｕ        上面部
２          取付部材
２１        一側板
２１Ｈ      取付構造部
２１ａ      電線孔
２１ｂ      取付孔
２１ｃ      取付孔
２１ｄ      段差部
２２        他側板
２２ｄ      段差部
２３Ｓ      木ネジ（固定部材）
３          器具本体
３０        筐体
３１        上板部
３２        前板部
３３        下板部
３４        中板部
３５        透光板
３６        光源部
３７        蓋部材
３ｇ        第一溝
４          取付部材側固定具
４０        第一平面部
５          器具本体側固定具
５０        第二平面部
５５        案内部
５６        案内部
６          内蓋部材
６１        圧入部
６２        止板部
６ｇ        第二溝
７          外蓋部材
７１        上板部
７３        下板部
７４Ｇ      溝部
７４Ｔ      突条部
Ｗ          垂直な被取付面（壁面など）
Ｓ          水平な被取付面（棚下、天井など）
Ｘ          照明器具の上下方向
Ｙ          照明器具の左右方向（照明器具の長手方向）
Ｚ          照明器具の前後方向（照明器具の短手方向）
【図１】
2018190549.tif 000003
【図２】
2018190549.tif 000004
【図３】
2018190549.tif 000005
【図４】
2018190549.tif 000006
【図５】
2018190549.tif 000007
【図６】
2018190549.tif 000008
【図７】
2018190549.tif 000009
【図８】
2018190549.tif 000010
【図９】
2018190549.tif 000011
【図１０】
2018190549.tif 000012
【図１１】
2018190549.tif 000013
【図１２】
2018190549.tif 000014
【図１３】
2018190549.tif 000015
【図１４】
2018190549.tif 000016
【図１５】
2018190549.tif 000017
【図１６】
2018190549.tif 000018
【図１７】
2018190549.tif 000019
【図１８】
2018190549.tif 000020
【図１９】
2018190549.tif 000021
【図２０】
2018190549.tif 000022
【図２１】
2018190549.tif 000023
【図２２】
2018190549.tif 000024